(57)【要約】      （修正有）【課題】ユニット化されたディスク装置、保持部材および第１配線基板の搬送効率の上昇および搬送コストの低減を図ることが可能なディスク装置付きテレビジョンを提供する。【解決手段】このＤＶＤ一体型テレビジョン（ディスク装置付きテレビジョン）１は、ピックアップ駆動部を有するＤＶＤ駆動装置７と、ＤＶＤ駆動装置７のピックアップ駆動部に対応する位置に開口部６ａを有するメイン配線基板６と、ＤＶＤ駆動装置を支持するためのホルダ５とを備えている。また、ＤＶＤ用配線基板１０およびＣＲＴ用配線基板１１は、メイン配線基板６の開口部６ａの形成によって不要となった開口部６ａに対応する部分から形成されている。また、ＤＶＤ駆動装置７、ホルダ５およびメイン配線基板６は、ＤＶＤ駆動装置７とホルダ５との間にメイン配線基板６を挟み込んだ状態で一体的に組み付けられている。【選択図】図２
0003120035.tif 000002
【実用新案登録請求の範囲】
【請求項１】
陰極線管と、駆動部を有するディスク装置と、前記ディスク装置を支持するための保持部材と、前記ディスク装置と前記保持部材との間に配置される第１配線基板と、前記ディスク装置を制御するための第２配線基板とを備えたディスク装置付きテレビジョンにおいて、
前記第１配線基板の表面に対して実質的に垂直方向に延びるように前記第１配線基板に取り付けられ、前記第１配線基板と前記第２配線基板とを中継するための第３配線基板と、
前記陰極線管を制御するための第４配線基板とをさらに備え、
前記第２配線基板は、ディスク装置の上面に設置されるとともに前記第３配線基板に電気的に接続されており、
前記第１配線基板は、前記ディスク装置の駆動部に対応する位置に開口部を有しており、
前記第３配線基板および前記第４配線基板は、前記第１配線基板の開口部の形成によって不要となった前記開口部に対応する部分から形成され、
前記ディスク装置、前記保持部材および前記第１配線基板は、前記ディスク装置と前記保持部材との間に前記第１配線基板を挟み込んだ状態で一体的に組み付けられている、ディスク装置付きテレビジョン。
【請求項２】
駆動部を有するディスク装置と、
前記ディスク装置を支持するための保持部材と、
前記ディスク装置と前記保持部材との間に配置され、前記ディスク装置の駆動部に対応する位置に開口部を有する第１配線基板とを備えた、ディスク装置付き表示装置。
【請求項３】
前記ディスク装置、前記保持部材および前記第１配線基板は、前記ディスク装置と前記保持部材との間に前記第１配線基板を挟み込んだ状態で一体的に組み付けられている、請求項２に記載のディスク装置付き表示装置。
【請求項４】
前記ディスク装置を制御するための第２配線基板と、
前記第１配線基板と前記第２配線基板とを中継するための第３配線基板とをさらに備え、
少なくとも前記第３配線基板は、前記第１配線基板の開口部の形成によって不要となった前記開口部に対応する部分から形成されている、請求項２または３に記載のディスク装置付き表示装置。
【請求項５】
陰極線管と、
前記陰極線管を制御するための第４配線基板とをさらに備え、
前記第４配線基板は、前記第１配線基板の開口部の形成によって不要となった前記開口部に対応する部分から形成されている、請求項４に記載のディスク装置付き表示装置。
【請求項６】
前記第３配線基板は、前記第１配線基板の表面に対して実質的に垂直方向に延びるように前記第１配線基板に取り付けられており、
前記第２配線基板は、前記ディスク装置の上面に設置されるとともに前記第３配線基板に電気的に接続されている、請求項４および５に記載のディスク装置付き表示装置。
【考案の詳細な説明】
【技術分野】
【０００１】
この考案は、ディスク装置付きテレビジョンおよびディスク装置付き表示装置に関し、特に、ディスク装置および配線基板を備えたディスク装置付きテレビジョンおよびディスク装置付き表示装置に関する。
【背景技術】
【０００２】
従来、磁気記録再生装置や、その磁気記録再生装置を備えたテレビジョンが知られている（たとえば、特許文献１および特許文献２参照）。
【０００３】
上記特許文献１には、ビデオデッキ（磁気記録再生装置）およびプリント配線基板が載置されたトレーシャーシ（保持部材）をフロントキャビネットに設けられたガイドレールに沿うように組み付けた後、そのフロントキャビネットにリアキャビネットを組み付ける構成の電子機器（テレビジョン）が開示されている。
【０００４】
また、上記特許文献２には、回路基板に形成された穴部をキャビネットの内面側に突出する突起部に嵌め込むことにより、回路基板をキャビネットに位置決めした後、回路基板に設けられるコネクタと、磁気テープの記録および再生を行うメカニズムデッキ（磁気記録再生装置）に設けられるコネクタとを接続する磁気記録再生装置が開示されている。
【０００５】
そして、近年の情報のデジタル化に伴って、アナログデータを記録可能な磁気テープなどの記録媒体に代わる記録媒体としてデジタルデータを記録可能なＤＶＤ（デジタル多用途ディスク）などが普及している。そのため、磁気記録再生装置に代わる記録再生装置として、デジタルデータの記録および再生をすることが可能なディスク装置が種々提案されている（たとえば、特許文献３および特許文献４参照）。
【０００６】
上記特許文献３には、本体と、デジタルデータを記録可能なＤＶＤなどの光ディスクを装置の内部に搬送するトレイと、装置の内部に搬送された光ディスクをローディングするために上側および下側に回動可能なシャーシ（駆動部）と、トレイが装置の内部に出入りする部分に開閉可能に取り付けられ、装置の内部に埃などが侵入するのを抑制するドアとを備えた光ディスクプレイヤ（ディスク装置）が開示されている。
【０００７】
また、上記特許文献４には、ＤＶＤなどの光ディスクを装置の内部に搬送するためのトレイと、装置の内部に搬送された光ディスクをローディングするために上側および下側に回動する機構を有するメカシャーシ（駆動部）とを備えたディスク装置が開示されている。この特許文献４に開示されたディスク装置では、装置の内部に搬送された光ディスクをローディングする際に、トレイの下面にシャーシに設けられたダンパを接触させることにより、光ディスクのローディング時の回転に伴って生じる騒音を抑制している。
【０００８】
また、上記特許文献３および特許文献４に開示されたようなディスク装置を備えたディスク装置付きテレビジョン（ＤＶＤ一体型テレビジョン）も知られている。図８は、従来の一例によるＤＶＤ一体型テレビジョンの全体斜視図である。図９は、図８に示した従来の一例によるＤＶＤ一体型テレビジョンのＤＶＤ駆動装置をホルダに取り付けた状態を示した側面図である。まず、図８および図９を参照して、従来の一例によるＤＶＤ一体型テレビジョン１００の構造について説明する。
【０００９】
従来の一例によるＤＶＤ一体型テレビジョン１００は、図８に示すように、フロントキャビネット１０１と、リアキャビネット１０２と、ＣＲＴ（ＣＡＴＨＯＤＥ  ＲＡＹ  ＴＵＢＥ：陰極線管）１０３とを備えている。このＣＲＴ１０３は、表示面１０３ａがフロントキャビネット１０１の開口部１０１ａから露出するようにフロントキャビネット１０１に取り付けられている。また、リアキャビネット１０２は、ＣＲＴ１０３が取り付けられたフロントキャビネット１０１に取り付けられている。これにより、フロントキャビネット１０１およびリアキャビネット１０２により、ＤＶＤ一体型テレビジョン１００の外枠が構成される。
【００１０】
そして、フロントキャビネット１０１およびリアキャビネット１０２により構成される外枠の内部には、図９に示すように、ホルダ１０４と、ホルダ１０４の上側に配置される配線基板１０５と、配線基板１０５の上側に配置されるＤＶＤ駆動装置１０６とが設けられている。また、ホルダ１０４には、配線基板１０５の後述する孔部１０５ａを介してＤＶＤ駆動装置１０６側に突出するように形成される柱部１０４ａが一体的に設けられており、その柱部１０４ａには、ＤＶＤ駆動装置１０６が設置されている。したがって、ホルダ１０４の柱部１０４ａに設置されるＤＶＤ駆動装置１０６は、配線基板１０５からホルダ１０４の柱部１０４ａの高さ分だけ高い位置に設置される。また、配線基板１０５には、ホルダ１０４の柱部１０４ａに対応する位置に孔部１０５ａが設けられている。
【００１１】
ＤＶＤ駆動装置１０６は、ＤＶＤ駆動装置本体部１０６ａと、ＤＶＤ（図示せず）を搬送するためのディスクトレイ１０６ｂと、ディスクトレイ１０６ｂを前後方向にスライドする駆動源となるモータ（図示せず）やデータの記録や再生を行うための光ピックアップ（図示せず）などが設けられたピックアップ駆動部１０６ｃとを含んでいる。このピックアップ駆動部１０６ｃは、非ローディング時には、ディスクトレイ１０６ｂの移動の妨げとならないように下側に回動するとともに、ローディング時には、ディスクトレイ１０６ｂからＤＶＤを受け取るために上側に回動するように構成されている。また、ＤＶＤ駆動装置１０６は、配線基板１０５から所定の高さを有する位置まで突出するホルダ１０４の柱部１０４ａに設置されているので、非ローディング時にピックアップ駆動部１０６ｃが下側に回動した場合でも、ピックアップ駆動部１０６ｃが配線基板１０５に接触するのを抑制することが可能となる。
【００１２】
【特許文献１】特開平８−５６３１８号公報
【特許文献２】特開平８−２４９８７２号公報
【特許文献３】特開２００５−２２８４６５号公報
【特許文献４】特開２００４−２８０９１７号公報
【考案の開示】
【考案が解決しようとする課題】
【００１３】
しかしながら、図８および図９に示した従来のＤＶＤ一体型テレビジョン１００では、上側および下側に回動するピックアップ駆動部１０６ｃが配線基板１０５に接触しないように、ＤＶＤ駆動装置１０６をホルダ１０４の柱部１０４ａに設置する必要があった。このため、ホルダ１０４に配線基板１０５およびＤＶＤ駆動装置１０６を組み付けてユニット化した状態では、ホルダ１０４の柱部１０４ａの高さ分だけユニットの高さが大きくなるという不都合があった。その結果、ホルダ１０４、配線基板１０５およびＤＶＤ駆動装置１０６を組み付けたユニットを梱包箱に収容して搬送する場合に、梱包箱に収容されるユニットの個数が少なくなるため、搬送効率が低下するとともに搬送コストが上昇するという問題点があった。
【００１４】
また、上記特許文献３および４に開示されたディスク装置（光ディスクプレイヤ）を図８および図９に示した従来のＤＶＤ一体型テレビジョン１００に適用した場合にも、ディスクをローディングするために上側および下側に回動する駆動部（シャーシ、メカシャーシ）が配線基板に接触しないように、ディスク装置（光ディスクプレイヤ）を配線基板から所定の高さの位置に設置する必要がある。したがって、上記特許文献３および４に開示されたディスク装置（光ディスクプレイヤ）をＤＶＤ一体型テレビジョン１００に適用した場合にも、上記した従来のＤＶＤ一体型テレビジョン１００の場合と同様の問題点がある。
【００１５】
また、上記特許文献１および２に開示された電子機器（テレビジョン）および磁気記録再生装置（ビデオデッキ）では、図８および図９に示した従来のＤＶＤ一体型テレビジョン１００と異なり、ＤＶＤ駆動装置１０６のピックアップ駆動部１０６ｃが下側に回動することがないので、磁気記録再生装置を配線基板から所定の高さの位置に設置する必要がない。そのため、ユニット化した配線基板および磁気記録再生装置の高さが大きくなるという本考案が解決しようとする課題（問題点）すら存在しない。
【００１６】
この考案は、上記のような課題を解決するためになされたものであり、この考案の１つの目的は、ユニット化されたディスク装置、保持部材および第１配線基板の搬送効率の上昇および搬送コストの低減を図ることが可能なディスク装置付きテレビジョンおよびディスク装置付き表示装置を提供することである。
【課題を解決するための手段および考案の効果】
【００１７】
上記目的を達成するために、この考案の第１の局面におけるディスク装置付きテレビジョンは、陰極線管と、駆動部を有するディスク装置と、ディスク装置を支持するための保持部材と、ディスク装置と保持部材との間に配置される第１配線基板と、ディスク装置を制御するための第２配線基板とを備えたディスク装置付きテレビジョンにおいて、第１配線基板の表面に対して実質的に垂直方向に延びるように第１配線基板に取り付けられ、第１配線基板と第２配線基板とを中継するための第３配線基板と、陰極線管を制御するための第４配線基板とをさらに備え、第２配線基板は、ディスク装置の上面に設置されるとともに第３配線基板に電気的に接続されており、第１配線基板は、ディスク装置の駆動部に対応する位置に開口部を有しており、第３配線基板および第４配線基板は、第１配線基板の開口部の形成によって不要となった開口部に対応する部分から形成され、ディスク装置、保持部材および第１配線基板は、ディスク装置と保持部材との間に第１配線基板を挟み込んだ状態で一体的に組み付けられている。
【００１８】
この第１の局面によるディスク装置付きテレビジョンでは、上記のように、ディスク装置と保持部材との間に配置される第１配線基板のディスク装置の駆動部に対応する位置に開口部を設けることによって、ディスク装置の駆動部がＤＶＤなどのディスクの搬送の妨げにならないように下側に移動する場合でも、その下側に移動した駆動部が第１配線基板に接触するのを抑制することができる。このため、駆動部と第１配線基板とが接触しないようにディスク装置を第１配線基板から所定の高さの位置に配置する必要がないので、ディスク装置の第１配線基板に対する高さを小さくすることができる。これにより、ユニット化したディスク装置、保持部材および第１配線基板の高さを小さくすることができる。その結果、ユニット化されたディスク装置、保持部材および第１配線基板を梱包箱に収納して搬送する際に、梱包箱への収納個数を増加させることができるので、搬送効率を上昇させるとともに搬送コストを低減させることができる。また、ディスク装置、保持部材および第１配線基板を、ディスク装置と保持部材との間に第１配線基板を挟み込んだ状態で一体的に組み付けることによって、開口部を設けることにより機械的強度が低下した第１配線基板をディスク装置および保持部材により補強することができる。その結果、ユニット化されたディスク装置、保持部材および第１配線基板の搬送時に、第１配線基板に衝撃が加わった場合でも、第１配線基板が破損するのを抑制することができる。
【００１９】
また、第１の局面では、第３配線基板および第４配線基板を第１配線基板の開口部の形成によって不要となった開口部に対応する部分から形成することによって、第３配線基板および第４配線基板を第１配線基板と同じ製造プロセスで形成することができるので、第３配線基板および第４配線基板の製造プロセスを簡略化することができる。つまり、第１配線基板の開口部の形成によって不要となった部分（捨て基板）に第１配線基板および第２配線基板を中継するのに必要な配線パターンを予め形成するようにすれば、容易に、第１配線基板と第２配線基板とを中継するための第３配線基板を形成することができる。また、同様に、第１配線基板の開口部の形成によって不要となった部分（捨て基板）に陰極線管を制御するのに必要な配線パターンを予め形成するようにすれば、容易に、陰極線管を制御するための第４配線基板を形成することができる。また、ディスク装置を制御するための第２配線基板をディスク装置の上面に設けるとともに、第１配線基板と第２配線基板とを中継するための第３配線基板を第１配線基板の表面から実質的に垂直方向に延びるように第１配線基板に取り付けることによって、容易に、捨て基板から形成された第３配線基板を介して、第１配線基板とディスク装置の上面に配置した第２配線基板とを電気的に接続することができる。
【００２０】
この考案の第２の局面におけるディスク装置付き表示装置は、駆動部を有するディスク装置と、ディスク装置を支持するための保持部材と、ディスク装置と保持部材との間に配置され、ディスク装置の駆動部に対応する位置に開口部を有する第１配線基板とを備えている。
【００２１】
この第２の局面によるディスク装置付き表示装置では、上記のように、ディスク装置と保持部材との間に配置される第１配線基板のディスク装置の駆動部に対応する位置に開口部を設けることによって、ディスク装置の駆動部がＤＶＤなどのディスクの搬送の妨げにならないように下側に移動する場合でも、その下側に移動した駆動部が第１配線基板に接触するのを抑制することができる。このため、駆動部と第１配線基板とが接触しないようにディスク装置を第１配線基板から所定の高さの位置に配置する必要がないので、ディスク装置の第１配線基板に対する高さを小さくすることができる。これにより、ユニット化したディスク装置、保持部材および第１配線基板の高さを小さくすることができる。その結果、ユニット化されたディスク装置、保持部材および第１配線基板を梱包箱に収納して搬送する際に、梱包箱への収納個数を増加させることができるので、搬送効率を上昇させるとともに搬送コストを低減させることができる。
【００２２】
この第２の局面によるディスク装置付き表示装置において、好ましくは、ディスク装置、保持部材および第１配線基板は、ディスク装置と保持部材との間に第１配線基板を挟み込んだ状態で一体的に組み付けられている。このように構成すれば、開口部を設けることにより機械的強度が低下した第１配線基板をディスク装置および保持部材により補強することができる。その結果、ユニット化されたディスク装置、保持部材および第１配線基板の搬送時に、第１配線基板に衝撃が加わった場合でも、第１配線基板が破損するのを抑制することができる。
【００２３】
この第２の局面によるディスク装置付き表示装置において、好ましくは、ディスク装置を制御するための第２配線基板と、第１配線基板と第２配線基板とを中継するための第３配線基板とをさらに備え、少なくとも第３配線基板は、第１配線基板の開口部の形成によって不要となった開口部に対応する部分から形成されている。このように構成すれば、第３配線基板を第１配線基板と同じ製造プロセスで形成することができるので、第３配線基板の製造プロセスを簡略化することができる。つまり、第１配線基板の開口部の形成によって不要となった部分（捨て基板）に第１配線基板および第２配線基板を中継するのに必要な配線パターンを予め形成するようにすれば、容易に、第１配線基板と第２配線基板とを中継するための第３配線基板を形成することができる。
【００２４】
この場合、陰極線管と、陰極線管を制御するための第４配線基板とをさらに備え、第４配線基板は、第１配線基板の開口部の形成によって不要となった開口部に対応する部分から形成されている。このように構成すれば、第３配線基板に加えて第４配線基板も第１配線基板と同じ製造プロセスで形成することができるので、第４配線基板の製造プロセスを簡略化することができる。つまり、第１配線基板の開口部の形成によって不要となった部分（捨て基板）に陰極線管を制御するのに必要な配線パターンを予め形成するようにすれば、容易に、陰極線管を制御するための第４配線基板を形成することができる。
【００２５】
上記第２配線基板を備えたディスク装置付き表示装置において、好ましくは、第３配線基板は、第１配線基板の表面に対して実質的に垂直方向に延びるように第１配線基板に取り付けられており、第２配線基板は、ディスク装置の上面に設置されるとともに第３配線基板に電気的に接続されている。このように構成すれば、容易に、捨て基板から形成された第３配線基板を介して、第１配線基板とディスク装置の上面に配置した第２配線基板とを電気的に接続することができる。
【考案を実施するための最良の形態】
【００２６】
以下、本考案を具体化した実施形態を図面に基づいて説明する。
【００２７】
図１は、本考案の一実施形態によるＤＶＤ一体型テレビジョンの全体構成を示した斜視図であり、図２は、図１に示した一実施形態によるＤＶＤ一体型テレビジョンの分解斜視図である。図３〜図７は、図１に示した一実施形態によるＤＶＤ一体型テレビジョンの詳細構造を説明するための図である。図１〜図７を参照して、本考案の一実施形態によるＤＶＤ一体型テレビジョン１の構造について説明する。なお、本実施形態では、ディスク装置付き表示装置およびディスク装置付きテレビジョンの一例であるＤＶＤ一体型テレビジョン１に本考案を適用した場合について説明する。
【００２８】
本考案の一実施形態によるＤＶＤ一体型テレビジョン１は、図１および図２に示すように、ＤＶＤ一体型テレビジョン１の外枠を構成するフロントキャビネット２およびリアキャビネット３と、フロントキャビネット２に取り付けられるＣＲＴ（陰極線管）４と、樹脂製のホルダ５と、テレビジョンを制御するためのメイン配線基板６と、ＤＶＤ（図示せず）を駆動するためのＤＶＤ駆動装置７と、金属製のシールド部材８と、中継基板９と、ＤＶＤ駆動装置７を制御するためのＤＶＤ用配線基板１０と、ＣＲＴ４を制御するためのＣＲＴ用配線基板１１と、ドア部材１２とを備えている。なお、メイン配線基板６、中継基板９、ＤＶＤ用配線基板１０およびＣＲＴ用配線基板１１は、それぞれ、本考案の「第１配線基板」、「第３配線基板」、「第２配線基板」および「第４配線基板」の一例である。
【００２９】
フロントキャビネット２には、図１および図２に示すように、ＣＲＴ４の表示領域４ａが露出される表示窓２ａと、底面２ｂと、底面２ｂに形成される一対のレール部２ｃと、電源などの各種操作ボタンが配置される操作部２ｄと、後述するＤＶＤ駆動装置７のディスクトレイ７１をフロントキャビネット２の外部へ突出させるための開口部２ｅと、後述するメイン配線基板６のジャック（ＡＶ端子）６３が配置される端子設置部２ｆと、メイン配線基板６を保持するための保持用リブ部２ｇ（図４参照）とが設けられている。また、開口部２ｅには、ＤＶＤ駆動装置７のディスクトレイ７１の突出および収納に連動して開閉するドア部材１２が取り付けられている。
【００３０】
リアキャビネット３には、図２に示すように、底面３ａと、底面３ａに形成される一対のレール部３ｂと、メイン配線基板６を保持するための保持用リブ部３ｃとが設けられている。また、リアキャビネット３は、フロントキャビネット２に対して図示しないねじを締め付けることにより、フロントキャビネット２に取り付けられている。
【００３１】
ＣＲＴ４は、図１、図２および図４に示すように、表示領域４ａがフロントキャビネット２の表示窓２ａから露出した状態でフロントキャビネット２に取り付けられている。このＣＲＴ４は、図２に示すように、表示領域４ａと、電子ビームを発射させる電子銃４ｂと、真空領域を形成するガラス管４ｃと、ガラス管４ｃに巻き付けられる鉄製の防爆バンド４ｄとを含んでいる。また、ＣＲＴ４の防爆バンド４ｄは、帯状に形成されるとともに、ガラス管４ｃに所定の位置で巻き付けられることにより、真空状態のガラス管４ｃが破壊により爆発的に収縮するのを防止する機能を有する。また、ガラス管４ｃに巻き付けられた防爆バンド４ｄの４つの角部には、それぞれ、ＣＲＴ４をフロントキャビネット２に取り付けるためのねじ挿入孔４ｅが形成されたねじ取付部４ｆが一体的に形成されている。そして、ねじ取付部４ｆのねじ挿入孔４ｅを介してフロントキャビネット２にねじ５１が取り付けられることにより、ＣＲＴ４がフロントキャビネット２に取り付けられる。なお、ＣＲＴ４は、本考案の「陰極線管」の一例である。
【００３２】
樹脂製のホルダ５は、図２および図５に示すように、フロントキャビネット２の一対のレール部２ｃおよびリアキャビネット３の一対のレール部３ｂと係合する４つのレール係合部５ａと、中継基板９を垂直方向にガイドするガイド部５ｂと、メイン配線基板６を取り付けるためのねじ取付孔５ｃと、ＤＶＤ駆動装置７を取り付けるためのねじ取付孔５ｄとを含んでいる。また、ホルダ５のレール係合部５ａは、フロントキャビネット２とリアキャビネット３とが組み立てられた際に、フロントキャビネット２のレール部２ｃおよびリアキャビネット３のレール部３ｂと係合することにより、ホルダ５がフロントキャビネット２およびリアキャビネット３に取り付けられるように構成されている。また、メイン配線基板６は、リアキャビネット３がフロントキャビネット２に取り付けられた際に、フロントキャビネット２の保持用リブ部２ｇおよびリアキャビネット３の保持用リブ部３ｃに保持されるように構成されている。なお、ホルダ５は、本考案の「保持部材」の一例である。
【００３３】
テレビジョンを制御するためのメイン配線基板６は、図２および図６に示すように、開口部６ａと、メイン配線基板６をホルダ５に取り付けるためのねじ挿入孔６ｂと、ＤＶＤ駆動装置７をホルダ５に取り付けるためのねじ挿入孔６ｃと、後述する中継基板９の端子部９ａが挿入される端子接続孔６ｄと、ホルダ５のガイド部５ｂが配置されるガイド部挿入孔６ｅとを含んでいる。また、メイン配線基板６には、アンテナ線を差し込むアンテナ差込部６１と、ＣＲＴ４に高電圧を供給するフライバックトランス（Ｆｌｙ  Ｂａｃｋ  Ｔｒａｎｓｆｏｒｍｅｒ）６２と、他の機器との接続の際に使用する複数のジャック（ＡＶ端子）６３とが取り付けられている。また、ねじ挿入孔６ｂを介してホルダ５のねじ取付孔５ｃにねじ５２が取り付けられることにより、メイン配線基板６がホルダ５に取り付けられる。
【００３４】
ここで、本実施形態では、メイン配線基板６の開口部６ａは、後述するＤＶＤ駆動装置７のピックアップ駆動部７３に対応する位置に設けられている。このため、ＤＶＤ駆動装置７のピックアップ駆動部７３が下側（図７の矢印Ａ方向）に回動する場合でも、そのピックアップ駆動部７３がメイン配線基板６に接触するのを抑制することが可能となる。また、メイン配線基板６は、長方形状の配線基板から所定の部分（開口部６ａに対応する部分）を切り取ることによって形成されており、後述する中継基板９およびＣＲＴ用配線基板１１は、その切り取られた部分（捨て基板）から形成されている。
【００３５】
ＤＶＤ駆動装置７は、図２、図３および図７に示すように、図示しないＤＶＤを搬送するためのディスクトレイ７１と、ディスクトレイ７１が前後方向（図７のＢ方向）にスライド可能に取り付けられたＤＶＤ駆動装置本体部７２と、ディスクトレイ７１を前後方向にスライドする駆動源となるモータ（図示せず）やデータの記録や再生を行うための光ピックアップ（図示せず）などが設けられたピックアップ駆動部７３とを含んでいる。
【００３６】
また、ディスクトレイ７１は、前後方向にスライドすることにより、フロントキャビネット２の開口部２ｅを介してフロントキャビネット２の外部に突出するとともに、フロントキャビネット２の内部に収納されるように構成されている。これにより、フロントキャビネット２の開口部２ｅを介して外部に突出したディスクトレイ７１のディスク設置部７１ａに設置されたＤＶＤ（図示せず）をＤＶＤ一体型テレビジョン１の内部に搬送することが可能となる。
【００３７】
また、ＤＶＤ駆動装置本体部７２には、ＤＶＤ駆動装置７をホルダ５に取り付けるためのねじ挿入孔７２ａおよびねじ挿入用切欠部７２ｂと、後述するシールド部材８を取り付けるためのねじ取付孔７２ｃとが形成されている。したがって、本実施形態では、ねじ挿入孔７２ａおよびねじ挿入用切欠部７２ｂと、メイン配線基板６のねじ挿入孔６ｃとを介してホルダ５のねじ取付孔５ｄにねじ５３を締め付けることにより、ホルダ５、メイン配線基板６およびＤＶＤ駆動装置７は、ホルダ５とＤＶＤ駆動装置７との間にメイン配線基板６を挟んだ状態で一体的に組み付けられる。なお、ＤＶＤ駆動装置７は、本考案の「ディスク装置」の一例である。
【００３８】
また、ピックアップ駆動部７３は、図７に示すように、非ローディング時には、ディスクトレイ７１の移動の妨げとならないように下側（図７の矢印Ａ方向）に回動するとともに、ローディング時には、ディスクトレイ７１により搬送されたＤＶＤのデータの記録や再生を行うために上側（図７の矢印Ｃ方向）に回動するように構成されている。
【００３９】
シールド部材８は、図２および図３に示すように、シールド部材８をＤＶＤ駆動装置７に取り付けるためのねじ挿入孔８ａと、ＤＶＤ用配線基板１０をシールド部材８に取り付けるためのねじ取付孔８ｂとを含んでいる。そして、ねじ挿入孔８ａを介してＤＶＤ駆動装置７のねじ取付孔７２ｃにねじ５４が締め付けられることにより、シールド部材８がＤＶＤ駆動装置７のＤＶＤ駆動装置本体部７２に取り付けられる。
【００４０】
中継基板９は、図２〜図４に示すように、メイン配線基板６とＤＶＤ用配線基板１０とを電気的に中継するために設けられている。この中継基板９は、図２に示すように、端子部９ａと、ＤＶＤ用配線基板１０の端子部１０ａが挿入される端子接続孔９ｂとを含んでいる。そして、中継基板９の端子部９ａがメイン配線基板６の端子接続孔６ｄに挿入された状態で半田付けされることにより、中継基板９とメイン配線基板６とが電気的に接続される。また、中継基板９は、中継基板９の長手方向の両側面の下端部がメイン配線基板６のガイド部挿入孔６ｅから上方に突出するホルダ５のガイド部５ｂに挿入されることにより、メイン配線基板６の表面から垂直方向に延びるようにメイン配線基板６に取り付けられる。
【００４１】
また、本実施形態では、ＤＶＤ駆動装置７を制御するためのＤＶＤ用配線基板１０は、図２〜図４に示すように、ＤＶＤ駆動装置７の上面にシールド部材８を介して取り付けられている。そして、ＤＶＤ用配線基板１０は、端子部１０ａと、ＤＶＤ用配線基板１０をシールド部材８に取り付けるためのねじ挿入孔１０ｂとを含んでいる。そして、ＤＶＤ用配線基板１０の端子部１０ａが中継基板９の端子接続孔９ｂに挿入された状態で半田付けされることにより、ＤＶＤ用配線基板１０と中継基板９とが電気的に接続される。また、ねじ挿入孔１０ｂを介してシールド部材８のねじ取付孔８ｂにねじ５５を締め付けることにより、ＤＶＤ用配線基板１０がシールド部材８に取り付けられる。
【００４２】
ＣＲＴ４を制御するためのＣＲＴ用配線基板１１には、図２および図４に示すように、ＣＲＴ４の電子銃４ｂに接続されるソケット１１ａが設けられている。また、ＣＲＴ用配線基板１１は、メイン配線基板６に取り付けられたフライバックトランス６２から延びるケーブル６２ａにより接続されている。
【００４３】
本実施形態では、上記のように、ＤＶＤ駆動装置７とホルダ５との間に配置されるメイン配線基板６のＤＶＤ駆動装置７のピックアップ駆動部７３に対応する位置に開口部６ａを設けることによって、ＤＶＤ駆動装置７のピックアップ駆動部７３がＤＶＤを搬送するディスクトレイ７１の移動の妨げにならないように下側（図７の矢印Ａ方向）に回動する場合でも、その下側に回動したピックアップ駆動部７３がメイン配線基板６に接触するのを抑制することができる。このため、ピックアップ駆動部７３とメイン配線基板６とが接触しないようにＤＶＤ駆動装置７をメイン配線基板６から所定の高さの位置に配置する必要がないので、ＤＶＤ駆動装置７のメイン配線基板６に対する高さを小さくすることができる。これにより、ユニット化したＤＶＤ駆動装置７、ホルダ５およびメイン配線基板６の高さを小さくすることができる。その結果、ユニット化されたＤＶＤ駆動装置７、ホルダ５およびメイン配線基板６を梱包箱に収納して搬送する際に、梱包箱への収納個数を増加させることができるので、搬送効率を上昇させるとともに搬送コストを低減させることができる。
【００４４】
また、本実施形態では、ＤＶＤ駆動装置７、ホルダ５およびメイン配線基板６を、ＤＶＤ駆動装置７とホルダ５との間にメイン配線基板６を挟み込んだ状態で一体的に組み付けることによって、開口部６ａを設けることにより機械的強度が低下したメイン配線基板６をＤＶＤ駆動装置７およびホルダ５により補強することができる。その結果、ユニット化されたＤＶＤ駆動装置７、ホルダ５およびメイン配線基板６の搬送時に、メイン配線基板６に衝撃が加わった場合でも、メイン配線基板６が破損するのを抑制することができる。
【００４５】
また、本実施形態では、中継基板９およびＣＲＴ用配線基板１１をメイン配線基板６の開口部６ａの形成によって不要となった部分（捨て基板）から形成することによって、中継基板９およびＣＲＴ用配線基板１１をメイン配線基板６と同じ製造プロセスで形成することができるので、中継基板９およびＣＲＴ用配線基板１１の製造プロセスを簡略化することができる。つまり、メイン配線基板６の開口部６ａの形成によって不要となった部分にメイン配線基板６および中継基板９を中継するのに必要な配線パターンを予め形成するようにすれば、容易に、メイン配線基板６と中継基板９とを中継するための中継基板９を形成することができる。また、同様に、メイン配線基板６の開口部６ａの形成によって不要となった部分にＣＲＴ４を制御するのに必要な配線パターンを予め形成するようにすれば、容易に、ＣＲＴ４の制御用のＣＲＴ用配線基板１１を形成することができる。
【００４６】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００４７】
たとえば、上記実施形態では、ディスク装置付き表示装置の一例としてＤＶＤ駆動装置を備えたＤＶＤ一体型テレビジョンについて説明したが、本考案はこれに限らず、他のディスク装置を備えた表示装置にも適用可能である。
【００４８】
また、上記実施形態では、中継基板９およびＣＲＴ用配線基板１１を、メイン配線基板６の開口部６ａを形成する際に不要となった捨て基板から形成する例を示したが、本考案はこれに限らず、メイン配線基板６の形成によって不要となった開口部に対応する部分（捨て基板）ではなく、通常の配線基板から中継基板９およびＣＲＴ用配線基板１１を形成してもよい。
【図面の簡単な説明】
【００４９】
【図１】本考案の一実施形態によるＤＶＤ一体型テレビジョンの全体構成を示した斜視図である。
【図２】図１に示した一実施形態によるＤＶＤ一体型テレビジョンの分解斜視図である。
【図３】図１に示した一実施形態によるＤＶＤ一体型テレビジョンのＤＶＤ駆動装置をホルダに取り付けた状態を示した斜視図である。
【図４】図１に示した一実施形態によるＤＶＤ一体型テレビジョンのリアキャビネットを取り外した状態を示した正面図である。
【図５】図１に示した一実施形態によるＤＶＤ一体型テレビジョンのホルダの平面図である。
【図６】図１に示した一実施形態によるＤＶＤ一体型テレビジョンの配線基板の平面図である。
【図７】図１に示した一実施形態によるＤＶＤ一体型テレビジョンのＤＶＤ駆動装置をホルダに取り付けた状態を示した側面図である。
【図８】従来の一例によるＤＶＤ一体型テレビジョンの全体斜視図である。
【図９】図８に示した従来の一例によるＤＶＤ一体型テレビジョンのＤＶＤ駆動装置をホルダに取り付けた状態を示した側面図である。
【符号の説明】
【００５０】
１  ＤＶＤ一体型テレビジョン（ディスク装置付き表示装置（テレビジョン））
４  ＣＲＴ（陰極線管）
５  ホルダ（保持部材）
６  メイン配線基板（第１配線基板）
６ａ  開口部
７  ＤＶＤ駆動装置（ディスク装置）
７３  ピックアップ駆動部
９  中継基板（第３配線基板）
１０  ＤＶＤ用配線基板（第２配線基板）
１１  ＣＲＴ用配線基板（第４配線基板）
【図１】
0003120035.tif 000003
【図２】
0003120035.tif 000004
【図３】
0003120035.tif 000005
【図４】
0003120035.tif 000006
【図５】
0003120035.tif 000007
【図６】
0003120035.tif 000008
【図７】
0003120035.tif 000009
【図８】
0003120035.tif 000010
【図９】
0003120035.tif 000011